(57)【要約】制御パネルから遠隔制御されるウェイトタワーを有するウェイトステーションの設備を包含し、ウェイトルームの床又はジムの設備を受けるよう備えられるジム自体の設備、の上部に組み立てられた前記ウェイトステーションを有する、ジムのウェイトルームにおける床の改善である。各ステーションタワーの組み合わせに対して、ジムの床（２）が、前記床（２）、床（２）の水平面にある各開口部に埋設される２つの強化ボックス（１７）を包含し、１つのボックスはウェイトステーション（１）の基部の下に設置され、もう一方は前記ウェイトタワー（１１）の前方に設置され、好ましくはステーションから離れており、２つのボックス（１７）は、ジムの床（２）の水平面の真下に設置された少なくとも２つの管（１８及び１９）により連結され、各前記ボックス（１７）の内部にはケーブル滑車（２１）及びベアリング（２０）が取り付けられ、水平面にある各滑車（２１）は、管（１８）の一方の中央に向かって鋼線（８）の水平部を通り、鋼線滑車（２１）の一方はタワー（１）の上部にある滑車（１３）へ通され、その際、もう一方の滑車（２１）は同じケーブル（８）をウェイトステーション滑車（６）へ通し、もう一方の管（１９）は、ケーブル（８）を握る管（１８）と平行であり、前記ウェイトステーションにある制御パネル（２３）から前記タワー（１１）まで通る電線を収容する。【選択図】図２
2012522150.tif 000002
【特許請求の範囲】
【請求項１】
制御パネルから遠隔制御されるウェイトタワーを有するウェイトステーションの設備を包含し、ウェイトルームの床又はジムの設備を受けるよう備えられるジム自体の設備、の上部に組み立てられた前記ウェイトステーションを有する、ジムのウェイトルームにおける床の改善であって、
各ステーションタワーの組み合わせに対して、ジムの床（２）が、前記床（２）、床（２）の水平面にある各開口部に埋設される２つの強化ボックス（１７）を包含し、１つのボックスはウェイトステーション（１）の基部の下に設置され、もう一方は前記ウェイトタワー（１１）の前方に設置され、好ましくはステーションから離れており、２つのボックス（１７）は、ジムの床（２）の水平面の真下に設置された少なくとも２つの管（１８及び１９）により連結され、各前記ボックス（１７）の内部にはケーブル滑車（２１）及びベアリング（２０）が取り付けられ、水平面にある各滑車（２１）は、管（１８）の一方の中央に向かって鋼線（８）の水平部を通り、鋼線滑車（２１）の一方はタワー（１）の上部にある滑車（１３）へ通され、その際、もう一方の滑車（２１）は同じケーブル（８）をウェイトステーション滑車（６）へ通し、もう一方の管（１９）は、ケーブル（８）を握る管（１８）と平行であり、前記ウェイトステーションにある制御パネル（２３）から前記タワー（１１）まで通る電線を収容することを特徴とするジムのウェイトルームにおける床の改善。
【請求項２】
前記ジムの床（２）の水平面の下に設置される前記２つの管（１８及び１９）が、水平持続性の問題を解決せず、床（２）と平行であることを特徴とする請求項１に記載のジムのウェイトルームにおける床の改善。
【請求項３】
前記ジムの床（２）の水平面の下に設置される前記２つの管（１８及び１９）が、前記管（１８、１９）に沿って配置される、少なくともベアリング（２０）及び滑車（２１）一式により補われる水平連続性の問題点への解決策を有して、前記床（２）と平行でないことを特徴とする請求項１に記載のジムのウェイトルームにおける床の改善。
【請求項４】
ウェイトステーションを作働させない又は据え付けない場合、前記床（２）に埋設される前記ボックス（１７）が床（２）仕上げの水平面を同一平面に保つカバー（２２）で塞閉した状態であることを特徴とする請求項１に記載のジムのウェイトルームにおける床の改善。
【発明の詳細な説明】
【技術分野】
【０００１】
本請求の範囲は、ジムにあるウェイトルームにおける床の改善、より詳細には、ジムの床のための構造的及び構築的なコンセプト、詳細には、ウェイトルームの床のために、ウェイトステーションを配設するための場所の最適な使用を可能にすることに関する。
【０００２】
当業者が認めるように、異なる個々のウェイトのスタックを含む各々のタワーのほか、使用者の筋肉群を鍛えるために、レバー、ペダル及び他の装置を使用するステーションを具備するジムのウェイトルームは、一般に、各ウェイトステーションのタワーの存在及び必要性のために混み合っている。
【発明の概要】
【０００３】
ウェイトステーションのエリアの外にタワーを配置することが望ましいが、使用者が届く範囲内にある制御パネルを使用して、電子機械的機構メカニズムにより各タワーのウェイトを選択することが必要である。タワー及びウェイトステーションは、鋼線を収容する堅い管により連結されなければならず、ウェイトステーションにある装置は、牽引により移動し、滑車がタワー上部に届くように延設され、ケーブルは下部に戻るように通り、ウェイトを上部に保つバックルに取り付けられる。
【発明が解決しようとする課題】
【０００４】
本発明は、ウェイトルームの床の水平度を悪化させることなく、その各々のウェイトステーションからタワーを離すことを目的とする。
【０００５】
本発明は、ウェイトステーション及びその各々のタワーが集まることによる混み合いを発生させることなく、ジムにおいて、ウェイトステーションを容易に組み立てられるようにするために、ジムのウェイトルームを改善することを目的とする、
【０００６】
本発明は、タワー間の距離を離すように、またそれを可能にすることにより、例えば、床の水平面及び均一性を保ちつつ、ウェイトステーションをルーム内に配置する一方、ウェイトルームの一つの壁に沿った面に設置されるようなジムのウェイトルームにおける床を改善することを別の目的とする。
【課題を解決するための手段】
【０００７】
本発明の目的、他の目的、及び進歩性は、ウェイトルーム、又はそれらの設備を受けるよう備えられるジムの構築物の床の上に配置された前記ウェイトステーションを有する、各ウェイトステーションにある制御パネルからの遠隔制御を通じて起動するタワーを有するウェイトステーションの構築物を含むジムのウェイトルームにおける床の改善と共に達成される。本発明により、ジムの床は、各ステーションタワーに用いる床に埋設される２つの強化ボックスを具備し、強化ボックスは床の水平面にある開口部を含有し、ボックスの一方は、ウェイトステーションの基部の下に設置され、もう一方はタワーの前方に設置され、２つのボックスはジムの床の水平面の真下に設置された少なくとも２つの管により連結される。各ボックスの内部は、ケーブル滑車及びベアリングを取り付けられ、各滑車は一方の管の中央に向かって、鋼線の横軸部を通し、滑車の１つは鋼線をタワー上部にある滑車へと向け、その際、もう一方の滑車は、同じケーブルをウェイトステーションの滑車まで通す。ケーブルを握る管と平行なもう一方の管は、ウェイトステーションにある制御パネルからタワーまでを通る電線に収容する。ウェイトステーションを作動させない、又は据え付けない場合、ボックスは、床仕上げの水平面と同一平面のカバーで覆われる。
以下で、添付の図面を参照して本発明を説明する。
【図面の簡単な説明】
【０００８】
【図１】ウェイトステーションに連結されたタワーを有する従来のウェイトステーション装置の側面図を表す。
【図２】遠隔タワー及びそのウェイトステーションと共に改善された床の垂直断面図を表す。
【図３】図２に示す遠隔タワー及びウェイトステーションの装置の平面図を表す。
【図４】タワーを有する改善された床の拡大した平面図を表す。
【図５】タワー以外及び塞閉埋設ボックスを有するステーション以外の改善された床を表す。
【０００９】
上記の図面によれば、従来では、ジムの床２上に置かれ、外向きの鋼線８を有するステーションの構造部７にある滑車６が回転することで使用者が移動させる座部３、背面部４及びレバー５を含む一つの基部１から成るウェイトステーションにおいて、本発明の目的であるジムのウェイトルームにおける床の改善が実現される。該鋼線８は、基部１上の滑車９を通過し、水平に通り、基部１を通過し、そしてウェイトタワー１１に連結された構成部１０を通過し、鋼線が滑車１２を通り上部へ向きを変え、そして、タワー上部から、滑車１３を経て下方へ通され、ウェイト１５を固定するバックル１４の中央に到達する。このバックル１４のピンはウェイトの中央の穴の中に滑動し、各ウェイトを水平に結合させ、その結果、図１に示されるように、ピン１６が、選択されたウェイトの中へ挿入され得る。
【００１０】
この従来の構造では、それ自体、ウェイトステーションのタワー１１を十分に離すことができない。この制約は、鋼線を保護し、ケーブルの水平な牽引力を作用させる複数の連結構成部１０をウェイトステーションとタワー間に設ける必要があることに起因する。また、この制約は、タワーに沿って積載されたウェイトを選択するために、使用者からピン１に届くようにしなければならないことにも起因する。
【００１１】
タワー及びウェイトステーションにある制御パネルに取り付けられているウェイトを選択するための電子機械的方法が登場したため、もはや使用者からウェイトピン１６に届くことができる必要がないため、ウェイトタワーからウェイトステーションを多少遠ざけることが可能となった。
【００１２】
本発明は、床の水平度及び均一性を維持し、ウェイトステーションをウェイトルーム内に配置する一方、ウェイトルームの一つの壁部に沿った側面にタワーを設置できるようにし、タワーを大幅に遠ざけるようにするものである。
【００１３】
本発明は、本発明の設備を事前に考慮に入れるといった方法で、ウェイトルームの床又はジムの構築物の改善を必要とするものである。
【００１４】
図２及び３に示すように、各タワーとウェイトステーションの組み合わせについて、ジムの床２は、床の水平面に開口部を有する床２に埋設される２つの強化ボックス１７を具備し、ボックスの一方は、ウェイトステーション１の基部の下に設置され、もう一方は、タワー１１の前方に設置され、２つのボックスは、ジムの床２の水平面の真下に設置された少なくとも２つの管１８及び１９により連結される。各ボックス１７の内部には、ケーブル滑車２１及びベアリング２０が取り付けられ、各滑車は管１８の一方の中央に向かい鋼線８の水平部を通す水平面に設置される。滑車２１は、鋼線８をタワー１１の上部にある滑車１３へ通し、その際、もう一方の滑車２１は同じケーブル８をウェイトステーションの滑車６へ通す。
【００１５】
もう一方の管１９はウェイトステーションにある制御パネル２３からタワー１１までを通る電線を収容する。
【００１６】
図４は、ウェイトステーション以外の該ボックス１７及び反対のボックスの前方に組み立てられたタワー１１を示す。
【００１７】
図５に示すように、使用されていない、従って、床２仕上げと同一平面にあるカバー２２で覆われたボックス１７を床は示す。しかし、それらボックス１７は、通過する機械ケーブル及び電線の据え付けを除去することのみに必要となる蓋２２で閉じられるボックスと共に、将来的に新しい装置を受けるために具備される。
【００１８】
装置、タワー及びステーションは、床の平坦連続性を悪化させることなく、メンテナンスのために除去され得る。
【００１９】
図面に含まれていないが、ジムの床２の水平面の下に設置される管１８及び１９は、それらが床２と平行でないため、床２の水平連続性のような解決策を提供する。それを補うために、本発明は、少なくとも、前記管１８及び１９に沿って配置されるベアリング２０と滑車２１一式が必要である。
【図１】
2012522150.tif 000003
【図２】
2012522150.tif 000004
【図３】
2012522150.tif 000005
【図４】
2012522150.tif 000006
【図５】
2012522150.tif 000007
【国際調査報告】
2012522150.tif 000008
2012522150.tif 000009
2012522150.tif 000010
2012522150.tif 000011